(57)【要約】【課題】紫外線発光部から発生する熱を給湯装置内の部品に放熱する構造にすることで、紫外線発光部を冷却することが可能になると共に、紫外線発光部を備える紫外線殺菌装置を設置する自由度を向上させる給湯装置を提供することである。【解決手段】本発明に係る給湯装置は、浴槽及び一般給湯先に供給される加熱された水を貯留するための貯湯タンクと、浴槽内の水を加熱するための風呂側循環管路と、貯湯タンク内の加熱された水から吸熱するためのタンク側循環管路と、風呂側循環管路とタンク側循環管路とに配置される追い焚き用熱交換器と、貯湯タンク内の水を加熱するための貯湯用循環管路と、貯湯用循環管路に配置され水を加熱する熱源機と、風呂側循環管路、タンク側循環管路及び貯湯用循環管路のいずれかを構成する配管内を通過する水に紫外線を照射する紫外線発光部と、配管に紫外線発光部の熱を放熱する放熱部と、を備えるものである。【選択図】図２
2018169048.tif 000002
【特許請求の範囲】
【請求項１】
浴槽及び一般給湯先に供給される加熱された水を貯留するための貯湯タンクと、
前記浴槽内の前記水を加熱するための風呂側循環管路と、
前記貯湯タンク内の前記加熱された水から吸熱するためのタンク側循環管路と、
前記風呂側循環管路と前記タンク側循環管路とに配置される追い焚き用熱交換器と、
前記貯湯タンク内の前記水を加熱するための貯湯用循環管路と、
前記貯湯用循環管路に配置され前記水を加熱する熱源機と、
前記風呂側循環管路、前記タンク側循環管路及び前記貯湯用循環管路のいずれかを構成する配管内を通過する前記水に紫外線を照射する紫外線発光部と、
前記配管に前記紫外線発光部の熱を放熱する放熱部と、を備える
ことを特徴とする給湯装置。
【請求項２】
前記紫外線発光部が設置される前記配管内に前記紫外線を反射する反射部を備える
ことを特徴とする請求項１に記載の給湯装置。
【請求項３】
前記追い焚き用熱交換器、前記熱源機及び前記紫外線発光部を制御する制御手段と、
前記制御手段への指示及び前記制御手段の状態を示す入力表示手段と、を備える
ことを特徴とする請求項１又は２に記載の給湯装置。
【請求項４】
前記放熱部を冷却する冷却手段を備える
ことを特徴とする請求項１から３のいずれか１項に記載の給湯装置。
【請求項５】
前記貯湯タンクに前記水を供給する給水管路と、
前記給水管路、前記風呂側循環管路、前記タンク側循環管路、前記貯湯用循環管路及び前記貯湯タンクを収納する給湯装置筐体と、を備え
前記放熱部は、
前記給水管路の配管、前記風呂側循環管路の配管、前記タンク側循環管路の配管、前記貯湯用循環管路の配管、前記貯湯タンク及び前記給湯装置筐体のうちの少なくとも一つに前記紫外線発光部の熱を放熱する
ことを特徴とする請求項１から４のいずれか１項に記載の給湯装置。
【請求項６】
前記放熱部は、前記水が通過する構造を有する
ことを特徴とする請求項１から５のいずれか１項に記載の給湯装置。
【請求項７】
前記放熱部は、前記貯湯タンクの下部と接する
ことを特徴とする請求項１から６のいずれか１項に記載の給湯装置。
【発明の詳細な説明】
【技術分野】
【０００１】
本発明は、給湯装置に関するものである。
【背景技術】
【０００２】
給湯装置の熱源はガス又は電気の２種類あり、電気を熱源とする方式として、ヒートポンプ式の給湯装置が知られている。ヒートポンプ式給湯装置は主に、湯水生成装置であるヒートポンプユニットと、湯水を貯水する貯湯タンクユニットから構成される。ヒートポンプユニット内には二酸化炭素が自然冷媒（以下、「冷媒」と称する。）として循環しており、かかる冷媒が大気中の熱を吸熱する。そして、ヒートポンプユニット内の圧縮機において、熱を吸収した冷媒を、電力を利用して圧縮する。これにより、冷媒は高圧状態となり、高熱を発生する。
【０００３】
ところで、現状において上記のヒートポンプ型給湯器が給湯する湯水の温度、すなわち出湯温度の下限は６５度付近に設定されている。しかし、夏場等の熱需要が少ない時期には６５度もの高温の湯水は不要なことが多い。しかし、出湯温度の下限が６５度付近に設定されているのには、貯湯タンクユニットに貯湯される湯水中での細菌類、特にレジオネラ菌の繁殖防止という目的がある。
【０００４】
上記の目的から、現状では出湯温度の下限を下げることができず、高温の湯水の需要が少ない夏場等の時期にも拘わらず、細菌類の繁殖を防止するために温度が高い湯水を生成し、電力を無駄に消費せざるを得ない状況である。したがって、出湯温度の下限を下げることで電力の消費削減を行うためには、出湯温度が低い状態におけるレジオネラ菌の繁殖防止が必要である。
【０００５】
レジオネラ菌の繁殖を抑制する手段としては、銀イオンや抗菌剤、オゾン、紫外線殺菌などが知られるが、その中でも紫外線殺菌は反応経路内に副生成物を生成せず、殺菌力が高いことで知られる。２００〜３５０ｎｍの波長を有する紫外線は、細菌の原形質である核酸に作用して増殖能力を奪うだけでなく、原形質を破壊して細菌を死滅させる作用を有することから、このような紫外線を水に照射することにより、殺菌を行なうことができる。このような紫外線の光源としては、低圧（約０．１Ｐａ）の水銀蒸気の放電によって発生する２５３．７ｎｍの波長の光（水銀の共鳴線）を放射する低圧水銀ランプ（所謂、殺菌ランプ）が一般的であり、該殺菌ランプは、様々な分野で広く使用されている。また、近年は、紫外線発光ダイオード（以下、ＵＶ−ＬＥＤと呼ぶ。）を殺菌用紫外線の光源として使用する例も増えている（特許文献１参照）。
【先行技術文献】
【特許文献】
【０００６】
【特許文献１】特開２０１６−２０３０９５号公報
【発明の概要】
【発明が解決しようとする課題】
【０００７】
湯水を殺菌するためにＵＶ−ＬＥＤなどで構成される紫外線殺菌装置を使用する際に、一定の殺菌効果を発揮させ、低下させないためには、ＵＶ−ＬＥＤなどの紫外線発光部に熱が溜まらないよう放熱させる必要がある。紫外線発光部から放熱させるためには放熱部が必要とされ、放熱部が大きいと、湯水の配管が複雑に構成されている給湯装置内に紫外線殺菌装置を設置できる場所が制約される課題がある。
【０００８】
本発明は、上記の課題を解決するためになされたもので、紫外線発光部から発生する熱を給湯装置内の部品に放熱する構造にすることで、紫外線発光部を冷却することが可能になると共に、紫外線発光部を備える紫外線殺菌装置を設置する自由度を向上させる給湯装置を得ることを目的とする。
【課題を解決するための手段】
【０００９】
本発明に係る給湯装置は、浴槽及び一般給湯先に供給される加熱された水を貯留するための貯湯タンクと、浴槽内の水を加熱するための風呂側循環管路と、貯湯タンク内の加熱された水から吸熱するためのタンク側循環管路と、風呂側循環管路とタンク側循環管路とに配置される追い焚き用熱交換器と、貯湯タンク内の水を加熱するための貯湯用循環管路と、貯湯用循環管路に配置され水を加熱する熱源機と、風呂側循環管路、タンク側循環管路及び貯湯用循環管路のいずれかを構成する配管内を通過する水に紫外線を照射する紫外線発光部と、配管に紫外線発光部の熱を放熱する放熱部と、を備えるものである。
【発明の効果】
【００１０】
本発明の給湯装置は、従来より紫外線発光部を容易に冷却することが可能になると共に、湯水を殺菌するための紫外線殺菌装置を設置する自由度を向上することができるという効果を有する。
【図面の簡単な説明】
【００１１】
【図１】本発明の実施の形態１の給湯装置を示す概略図である。
【図２】本発明の実施の形態１の紫外線殺菌装置を示す断面図である。
【図３】本発明の実施の形態１の紫外線殺菌装置における第１の変形例を示す断面図である。
【図４】本発明の実施の形態１の紫外線殺菌装置における第２の変形例を示す断面図である。
【図５】本発明の実施の形態２の給湯装置を示す概略図である。
【図６】本発明の実施の形態２の紫外線殺菌装置を示す断面図である。
【図７】本発明の実施の形態３の給湯装置を示す概略図である。
【発明を実施するための形態】
【００１２】
添付の図面を参照して、本発明を詳細に説明する。各図では、同一又は相当する部分に同一の符号を付している。重複する説明は、適宜簡略化あるいは省略する。
【００１３】
実施の形態１．
図１は、実施の形態１の殺菌装置を備えた給湯装置を示す構成図である。図１に示すように、本実施の形態１の給湯装置１は、本体２と、熱源機３と、給湯装置１の動作を制御する制御部４と、制御部４への指示及び制御部４の状態を示すリモコン部５と、からなる。本体２には、貯湯タンク６を有し、この貯湯タンク６から吐出され、加熱された水を供給する先として他端には浴槽７及び一般給湯先９が接続されている。なお、制御部４とリモコン部５は、それぞれ制御手段と入力表示手段の具体的な構成を示すものである。
貯湯タンク６内の湯水を熱源機３で加熱するため、貯湯用循環管路８を備えている。この貯湯用循環管路８を通過する湯水を殺菌するため、紫外線殺菌装置１０が配置されている。この紫外線殺菌装置１０は紫外線の発光時に発熱があり、紫外線殺菌装置１０を冷却するため、戻り管８ｂ、戻り管８ｂ内の水、及び戻り管８ｂの周辺の空気への放熱を行う構造になっている。
【００１４】
また、浴槽７に供給された水を加熱するために、浴槽７から出て、追い焚き用熱交換器１１を通り、再度浴槽７に戻る風呂側循環管路１２が設けられ、風呂側循環管路１２内を浴槽７内の湯が循環するために風呂側送水ポンプ１３が設けられている。追い焚き用熱交換器１１は貯湯タンク６から吐出され、再度貯湯タンク６内に戻るタンク側循環管路１４内とも連結されており、貯湯タンク６内の加熱された水をタンク側送水ポンプ１５によって循環させることで、追い焚き用熱交換器１１を通過する風呂側循環管路１２内の水が温められる構成である。
【００１５】
熱源機３は、冷媒を圧縮する圧縮機２０と、放熱器に相当する沸き上げ用熱交換器２１と、膨張弁２２と、蒸発器２３と、これらを環状に接続する循環配管２４とによって構成された冷凍サイクル部２５を有している。冷凍サイクル部２５では、二酸化炭素等の冷媒が圧縮機２０で圧縮されて高温、高圧となった後に沸き上げ用熱交換器２１で放熱し、膨張弁２２で減圧され、蒸発器２３で吸熱してガス状態となって圧縮機２０に吸入される。冷媒として二酸化炭素を用いる場合、高圧側では該二酸化炭素の臨界圧を超える条件下で運転することが好ましい。
【００１６】
沸き上げ用熱交換器２１は、貯湯タンク６から吐出され、再度貯湯タンク６内に戻る貯湯用循環管路８内と連結されている。熱源機３にて得られた熱量は、沸き上げ用熱交換器２１を介して、貯湯用循環管路８内を循環する水が加熱される。なお、貯湯用循環管路８の水を循環するために貯湯用送水ポンプ２６が設けられている。
【００１７】
一方、本体２は、貯湯タンク６、貯湯用循環管路８、追焚き用熱交換器１１、風呂側循環管路１２、タンク側循環管路１４、給水管路３０、第１給湯管路３１、風呂側湯水混合弁３２ａ、一般側湯水混合弁３２ｂ、第２給湯管路３３、第３給湯管路３４等を有している。
【００１８】
貯湯タンク６は、給水管路３０から供給される水を貯留すると共に熱源機３で沸き上げられた湯を貯留する積層式のタンクである。この貯湯タンク６の下部には、給水管路３０が接続される水導入口６ａと、貯湯用循環管路８の往き管８ａが接続される水導出口６ｂとが設けられている。貯湯タンク６の上部には、貯湯用循環管路８の戻り管８ｂが接続される温水導入口６ｃと、第１給湯管路３１が接続される温水導出口６ｄとが設けられている。貯湯タンク６は、給水管路３０からの給水により常に満水状態に保たれる。
【００１９】
図示を省略しているが、貯湯タンク６の上部には、貯湯タンク６からタンク側循環管路１４、第１給湯管路３１に流入する湯の温度を検出するための温度センサが取り付けられている。また、貯湯タンク６の周面部には、貯湯タンク６内の湯水の温度を検出するための複数の温度センサが互いに異なる取付け高さをもって取り付けられている。
【００２０】
給水管路３０は、市水等の水を貯湯タンク６、風呂側湯水混合弁３２ａ、一般側湯水混合弁３２ｂ、および一般給湯先９に供給する管路であり、減圧弁３５と第１〜第３給水管部３０ａ〜３０ｃとを有している。減圧弁３５は、第１給水管部３０ａの途中に設けられて、水道等の水源からの水圧を所定値に減じる。第１給水管部３０ａは、水源と貯湯タンク６の水導入口６ａとを繋ぎ、第２給水管部３０ｂは、減圧弁３５で第１給水管部３０ａから分岐して該第１給水管部３０ａと風呂側湯水混合弁３２ａ、一般側湯水混合弁３２ｂとを繋ぎ、第３給水管部３０ｃは、減圧弁３５の上流側で第１給水管部３０ａから分岐して該第１給水管部３０ａと一般給湯先９とを繋ぐ。図示を省略しているが、第２給水管部３０ｂには、該第２給水管部３０ｂ内の水の温度を検出するための温度センサが設けられている。
【００２１】
一般給湯先９とは、使用者が手で直接操作して開栓する（センサを感応させて開栓する場合を含む）給湯先であり、例えば、洗面台や流し台の蛇口、浴室のシャワー等である。
【００２２】
貯湯用循環管路８は、貯湯タンク６下部の水導出口６ｂから熱源機３の沸き上げ用熱交換器２１を経由して貯湯タンク６上部の温水導入口６ｃに達する管路であり、貯湯用送水ポンプ２６が設けられた往き管８ａと、戻り管８ｂとを有している。上記の往き管８ａは水導出口６ｂと沸き上げ用熱交換器２１とを繋ぎ、戻り管８ｂは沸き上げ用熱交換器２１と温水導入口６ｃとを繋ぐ。
【００２３】
タンク側循環管路１４は、貯湯タンク６上部の温水導出口６ｄから追焚き用熱交換器１１を経由して貯湯タンク６下部に達する管路であり、往き管１４ａと、タンク側送水ポンプ１５が設けられた戻り管１４ｂとを有している。往き管１４ａは温水導出口６ｄと追焚き用熱交換器１１上部の温水導入口１１ａとを繋ぎ、戻り管１４ｂは追焚き用熱交換器１１下部の温水導出口１１ｂと貯湯タンク６の下部とを繋ぐ。
【００２４】
風呂側循環管路１２（風呂循環路）は、浴槽７から追焚き用熱交換器１１を経由して浴槽７に戻る管路であり、往き管１２ａおよび戻り管１２ｂを有している。往き管１２ａは浴槽７と追焚き用熱交換器１１下部の浴水導入口１１ｃとを繋ぎ、戻り管１２ｂは追焚き用熱交換器１１上部の浴水導出口１１ｄと浴槽７とを繋ぐ。往き管１２ａには、追焚き用熱交換器１１側から上流側（浴槽７側）に向かって、フロースイッチ３６、水位センサ３７、および風呂側送水ポンプ１３がこの順番で設けられている。また、図示を省略しているが、当該往き管１２ａには、該往き管１２ａ内の湯水の温度を検出するための温度センサも設けられている。
【００２５】
フロースイッチ３６は、往き管１２ａでの水流の有無を検出する。水位センサ３７は、該水位センサ３７の取付け位置を基準にした往き管１２ａ内の水圧から浴槽７での浴水の水位を検出する。風呂側送水ポンプ１３は、浴槽７内から浴水を導出して風呂側循環管路１２に循環させ、浴槽７内に戻す。そして、図示を省略した上記の温度センサは、往き管１２ａ内の浴水の温度を検出する。往き管１２ａおよび戻り管１２ｂと、浴槽７との連結部には、浴槽アダプタ３８が設けられている。
【００２６】
浴槽アダプタ３８内には、往き管１２ａと戻り管１２ｂとが接続できるように２つの配管接続部が備えられている。
【００２７】
風呂給湯装置１は、制御部４と、浴室や台所の壁等に設置されるリモコン部５とをさらに備えている。使用者は、リモコン部５にて、給湯温度の設定や各種運転モードの設定等を行うことができる。制御部４は、上述した各センサで検出された情報、および、リモコン部５から送信された情報に基づいて、熱源機３、紫外線殺菌装置１０、風呂側送水ポンプ１３、タンク側送水ポンプ１５、貯湯用送水ポンプ２６、風呂側湯水混合弁３２ａ、一般側湯水混合弁３２ｂを制御することにより、風呂給湯装置１の各種の動作制御を行う。
【００２８】
浴槽７に給湯する場合には、貯湯タンク６から供給される高温の湯と給水管路３０から供給される水とが風呂側湯水混合弁３２ａにて設定温度となるように混合され、その混合された湯が第２給湯管路３３、風呂側循環管路１２を通って送られ、浴槽アダプタ３８を介して浴槽７内に供給される。
【００２９】
一般給湯先９に給湯する場合には、貯湯タンク６から供給される高温の湯と給水管路３０から供給される水とが一般側湯水混合弁３２ｂにて設定温度となるように混合され、その混合された湯が第３給湯管路３４を通って送られて一般給湯先９に供給される。
【００３０】
また、制御部４は、給湯装置１が備える図示しない他の加熱装置などの動作を制御してもよい。リモコン部５は、制御部４に対し双方向にデータ通信可能に接続され、さらにユーザーが操作する操作部、ユーザーに情報を報知する表示部、音声アナウンス装置などのユーザーインターフェースを備えてもよい。また、リモコン部５は、浴室に設置されてもよい。
【００３１】
次に紫外線殺菌装置１０の構成について説明する。
図２は実施の形態１における紫外線殺菌装置の断面図を示すものである。図２において、（ａ）は戻り管８ｂを通過する湯水の水流に平行方向の断面であり、（ｂ）のＢ−Ｂ部の断面図を示し、（ｂ）は戻り管８ｂを通過する湯水の水流に垂直方向の断面であり、（ａ）のＡ−Ａ部の断面図を示すものである。
【００３２】
紫外線殺菌装置１０は、紫外線発光部の具体的な構成であるＵＶ−ＬＥＤ４０と、ＵＶ−ＬＥＤ４０を設置するためのＬＥＤ基板４１と、ＵＶ−ＬＥＤ４０から発生する熱を放熱するための放熱部４２とを備えている。ＵＶ−ＬＥＤ４０とＬＥＤ基板４１は戻り管８ｂの厚み内に組み込まれ、戻り管８ｂの内側は紫外線を反射する反射部４３となっており、戻り管８ｂ内に広範囲に照射を行うことができるため、湯水に対する殺菌効率を高めることができる。ＵＶ−ＬＥＤ４０は電源（図示省略）より供給された定電流にて制御される。なお、図２中の矢印は、湯水の水流を模式的に示すものである。
【００３３】
放熱部４２は、戻り管８ｂと同様な外形を備え、戻り管８ｂ内を通過する湯水、戻り管８ｂ及び外気への放熱によって放熱部４２が冷却される構造になっている。放熱部４２と戻り管８ｂは一体な構造又は着脱可能な構造になっていてもよく、放熱部４２を備える紫外線殺菌装置１０が着脱可能な構造になっている場合、放熱部４２に戻り管８ｂと着脱するための着脱部（図示省略）を備えている。
【００３４】
放熱部４２によってＵＶ−ＬＥＤ４０が冷却されることで、ＵＶ−ＬＥＤ４０の寿命を延ばし、紫外線強度の低下による殺菌効果の低下を防ぐことが可能になる。また、給湯装置１内に紫外線殺菌装置１０を容易に配置することが可能になり、紫外線殺菌装置１０を設置する自由度が向上する。
なお、紫外線殺菌装置１０は、戻り管８ｂに配置される構成に限定されず、風呂側循環管路１２、タンク側循環管路１４、第１給湯管３１等に配置される構成でも良い。
また、紫外線殺菌装置１０は給湯装置１内の熱伝導性の高い材料を有する部品に放熱することが可能になる位置に配置されても良い。
【００３５】
放熱部４２から放熱する給湯装置１内の熱伝導性の高い部品は、貯湯タンク６、タンク側循環管路１４、貯湯用循環管路８、風呂側循環管路１２、少なくとも本体２を収容する給湯装置筐体であり、これらの部品のうちで少なくとも一つの部品に放熱する位置に放熱部４２が配置される構成でも良い。放熱部４２から発生する熱を熱伝導性の高い部品が吸熱することで、ＵＶ−ＬＥＤ４０を冷却することが可能になる。
【００３６】
また、紫外線殺菌装置１０が取り付けられている配管及び放熱部４２の材料は、熱伝導性の高い部品とすることがのぞましく、例えば、銅、アルミニウム、銅タングステン合金、銅モリブデン合金、窒化アルミニウム、Ａｌ−ＳｉＣ、Ｍｇ−ＳｉＣ等のセラミックス・金属の合金、ダイヤモンドの一つ又は複数の材料から構成されても良い。紫外線殺菌装置１０が取り付けられている配管及び放熱部４２の各々の材料は、同一又は異なる材料で構成されていても良い。
上述の熱伝導性の高い部品は、熱伝導が高い材料が部品に対し、部品全体が熱伝導性の高い部品、または、表面をコーティング、材料を接着、溶接されていても良い。
【００３７】
放熱部４２を空冷する場合には、給湯装置筐体、給水管路３０及び風呂循環管路１２等の配管に触れている空気によって、熱交換、熱放射され、放熱部４２が冷却される構造にしてもよい。また、隣接する配管がなく、空気と熱交換が効率的に行える給湯装置１内の配管に取り付けられている構成にしても良い。
【００３８】
反射部４３は、ＵＶ−ＬＥＤ４０が配置される付近の湯水が通過する配管内部のみ、または配管内部の表面すべてが反射部４３になっていても良い。
【００３９】
次に給湯装置１の動作について説明する。貯湯タンク６内に給水管路３０より水道水が供給される。貯湯タンク６内に満たされたら、貯湯用送水ポンプ２６が稼動し、貯湯用循環管路８内を循環する。循環する水が、沸き上げ用熱交換器２１を介して熱源機３で得られた熱量により温められ、貯湯タンク６内の水が所定の温度以上となった場合に貯湯用送水ポンプ２６が停止して、沸き上げが完了する。貯湯タンク６内に沸き上げられた湯は、使用者の操作に応じて、浴槽７または一般給湯先９へ供給される。浴槽７または一般給湯先９への供給により貯湯タンク６内の湯の減少分に対して、給水管路３０より貯湯タンク６内に追加補充される。このような操作が繰り返されるうちに、貯湯タンク６内の湯温は低下してくるため、所定の温度以下となった場合に、再度沸き上げ動作を行なう。
【００４０】
貯湯タンク６内の湯温が低下すると、貯湯タンク６内での菌繁殖が増加する。このため、貯湯タンク６内の湯温低下時において、低下してから所定時間経過後、または貯湯タンク６内が所定の湯温以下となった場合において、定期的に紫外線殺菌装置１０が接続されている貯湯用循環管路８内に配置された貯湯用送水ポンプ２６を稼動し、紫外線殺菌装置１０に電源を入力することで、ＵＶ−ＬＥＤ４０を発光させて、紫外線によって貯湯用循環管路８内の湯水の殺菌を行なう。
【００４１】
紫外線殺菌装置１０は、定期的に貯湯用循環経路１０内に配置された貯湯用送水ポンプ２６が稼動しているときに紫外線の照射を行なう動作を行っても良い。この紫外線による湯水の殺菌によって、貯湯タンク６内の湯水の温度を従来より低く設定することが可能になる。
【００４２】
次に、紫外線殺菌装置１０の変形例について説明する。
図３は、実施の形態１の紫外線殺菌装置における第１の変形例を示す概略図である。図３において、放熱部３２は戻り管８ｂの外形に対して一部の領域に配置される構成になっている。
図４は、実施の形態１の紫外線殺菌装置における第２の変形例を示す概略図である。図４において、戻り管８ｂに紫外線を透過する窓部４４が設置されている。この窓部４４の外側にＵＶ−ＬＥＤ４０と、ＬＥＤ基板４１と、放熱部４２とが配置され、ＵＶ−ＬＥＤ４０からの紫外線が窓部４４を通過して湯水に照射される構成になっている。
なお、図２から図４に示す紫外線殺菌祖装置１０を戻り管８ｂへの配置する場合に、重力方向に対する制約はなく、例えば、戻り管８ｂの上部側にＵＶ−ＬＥＤ４０が配置され湯水を殺菌する構造にしても良い。
【００４３】
実施の形態２．
本実施の形態に示す給湯装置は、実施の形態１に対して紫外線殺菌装置１０に隣接する往き管８ａの配置が異なる。なお、実施の形態１と同じ構成には、同一番号を付しており、説明を省略する。
図５は、この発明の実施の形態２における給湯装置を示す概略図である。図５において、紫外線殺菌装置１０は貯湯用循環管路８に配置されている。貯湯用循環管路８の戻り管８ｂ内を湯水が循環する時に、湯水に紫外線を照射することで湯水を殺菌する。紫外線殺菌装置１０に隣接して往き管８ａが配置され、紫外線殺菌装置１０を冷却する構造になっている
【００４４】
なお、紫外線殺菌装置１０の配置は、貯湯用循環管路８に限定されるものではなく、風呂側循環管路１２又はタンク側循環管路１４のうちで一方、又はこれらの循環管路の全てに組み込まれる構成にしてもよい。紫外線殺菌装置１０の放熱部４２は、戻り管８ｂの外形と同様な構造になっており、放熱部４２と接する往き管８ａと熱交換をすることで、放熱部４２が冷却される。
【００４５】
図６は、この発明の実施の形態２における殺菌装置を示す断面図である。図６において、（ａ）は戻り管８ｂを通過する湯水の水流に平行方向の断面であり、（ｂ）のＢ−Ｂ部の断面図を示し、（ｂ）は戻り管８ｂを通過する湯水の水流に垂直方向の断面であり、（ａ）のＡ−Ａ部の断面図を示すものである。
【００４６】
紫外線殺菌装置１０は、ＵＶ−ＬＥＤ４０と、ＬＥＤ基板４１と、放熱部４２とを備えている。ＵＶ−ＬＥＤ４０とＬＥＤ基板４１は戻り管８ｂの厚み内に組み込まれ、戻り管８ｂの内側は紫外線を反射する反射部４３となっており、戻り管８ｂ内に広範囲に照射を行うことができるため、殺菌効率を高めることができる。ＵＶ−ＬＥＤ４０は電源（図示省略）より供給された定電流にて制御される。
【００４７】
放熱部４２は、戻り管８ｂと同様な外形を備え、その外形部が往き管８ａと接する構造になっており、往き管８ａを通過する湯水によって放熱部４２が冷却される構造になっている。この放熱部４２は、図３で示す戻り管８ｂの外形に対して一部の領域に配置される構成にしても良い。
なお、図６中の矢印は、湯水の水流を模式的に示すものである。また、往き管８ａは放熱部４２に対する冷却手段の具体的な構成を示すものである。
【００４８】
なお、紫外線殺菌装置１０は、往き管８ａに隣接する構成に限定されるものではなく、水道水が通過する給水管路３０、又は冷媒が通過する循環配管２４等と隣接する構造でも良い。
また、さらに給湯装置１の熱伝導性の高い材料を有する部品に放熱することが可能になる位置に配置されても良い。
【００４９】
放熱部４２から放熱する給湯装置１内の熱伝導性の高い部品は、貯湯タンク６、貯湯用循環管路８、風呂側循環管路１２、タンク側循環管路１４、少なくとも本体２を収容する給湯装置筐体であり、これらの部品のうちで少なくとも一つの部品に接触する位置に放熱部４２が配置されても良い。放熱部４２から発生する熱を熱伝導性の高い部品が吸熱することで、ＵＶ−ＬＥＤ４０を冷却することが可能になる。
【００５０】
また、紫外線殺菌装置１０の放熱部４２からの熱は、貯湯用循環管路８を通過する水を加熱するために使用する構成にしても良い。
【００５１】
実施の形態３．
本実施の形態に示す給湯装置は、実施の形態１に対して紫外線殺菌装置１０と貯湯タンク６の配置が異なる。実施の形態１と同じ構成には、同一番号を付しており、説明を省略する。
図７は、この発明の実施の形態３における給湯装置を示す概略図である。図７において、紫外線殺菌装置１０は戻り管８ｂから分岐した配管に配置され、貯湯タンク６に放熱部４２から放熱する位置に配置されている。放熱部４２は貯湯タンク６と接する構成にしても良い。また、紫外線殺菌装置１０は貯湯用循環管路８に配置されることに限定されず、タンク側循環管路１４又は第１給湯管路３１に配置される構成でも良い。
【００５２】
放熱部４２が貯湯タンク６に放熱する位置に配置されている場合、紫外線殺菌装置１０から発生する熱を貯湯タンク６に戻すことが可能となり、ＵＶ−ＬＥＤ４０が冷却されると共に貯湯タンク６内の湯温低下を抑制することが可能になる。
【００５３】
以上より、従来より紫外線発光部を容易に冷却することが可能になると共に、湯水を殺菌するための紫外線殺菌装置を設置する自由度を向上させる給湯装置を実現できる。
【００５４】
上記の実施の形態１から３においては、給湯装置に紫外線殺菌装置を配置する構成を記載したが、紫外線によって殺菌が必要な他の電気機器に適用しても良く、例えば、空気調和装置が吸い込む空気を殺菌することに適用することも可能である。
【００５５】
なお、上記各実施の形態で示される構成要素及び構成要素の接続形態等は一例であり、本発明を限定するものではない。つまり、本発明の趣旨を逸脱しない範囲で、構成要素やその接続形態等を他の装置へ展開したり、構成要素やその接続形態等に様々な変形を加えたり、それらを組み合わせることが可能である。
【符号の説明】
【００５６】
１  給湯装置、２  本体、３  熱源機、４  制御部５  リモコン部６  貯湯タンク、６ａ  水導入口、６ｂ  水導出口、６ｃ  温水導入口、６ｄ  温水導出口、７  浴槽、８  貯湯用循環管路、８ａ  往き管、８ｂ  戻り管、９  一般給湯先、１０  紫外線殺菌装置、１１  追焚き用熱交換器、１１ａ  温水導入口、１１ｂ  温水導出口、１１ｃ  浴水導入口、１１ｄ  浴水導出口、１２  風呂側循環管路、１２ａ  往き管、１２ｂ  戻り管、１３  風呂側送水ポンプ、１４  タンク側循環管路、１４ａ  往き管、１４ｂ  戻り管、１５  タンク側送水ポンプ、２０  圧縮機、２１  沸き上げ用熱交換器、２２  膨張弁、２３  蒸発器、２４  循環配管、２５  冷凍サイクル部、２６  貯湯用送水ポンプ、３０  給水管路、３０ａ  第１給水管部、３０ｂ  第２給水管部、３０ｃ  第３給水管部、３１  第１給湯管路、３２ａ  風呂側湯水混合弁、３２ｂ  一般側湯水混合弁、３３  第２給湯管路、３４  第３給湯管路、３５  減圧弁、３６  フロースイッチ、３７  水位センサ、３８  浴槽アダプタ、４０  ＵＶ−ＬＥＤ、４１  ＬＥＤ基板、４２  放熱部、４３  反射部、４４  窓部
【図１】
2018169048.tif 000003
【図２】
2018169048.tif 000004
【図３】
2018169048.tif 000005
【図４】
2018169048.tif 000006
【図５】
2018169048.tif 000007
【図６】
2018169048.tif 000008
【図７】
2018169048.tif 000009